(57)【要約】【課題】本発明は，複数データ形式を用いる近距離通信が可能なデバイス間で，各動作の調整のために対話が望まれる環境における近距離通信多機能デバイスの動作方法に関する。【解決手段】前記各動作は，ある標準のプロトコルによる第1データ形式のための第1開始手続を実行する動作と，ある標準のプロトコルによる第２データ形式のための第２開始手続を実行する動作と，遅延を実行する動作と，反復処理においてこれらの動作を繰り返す動作とである。【選択図】図３
2010136423.tif 000002
【特許請求の範囲】
【請求項１】
複数データ形式を用いる近距離通信が可能なデバイス間で，各動作を調整するために対話が望まれる環境における近距離通信多機能デバイスの動作方法であって，前記各動作は，
ある標準のプロトコルによる第1データ形式のための第1開始手続を実行する動作と，
ある標準のプロトコルによる第２データ形式のための第２開始手続を実行する動作と，
遅延を実行する動作と，
反復処理においてこれらの動作を繰り返す動作と，
である方法。
【請求項２】
ある標準のプロトコルによる少なくとも１つの第3の種類のデータ形式のために，第1受動検出手続を実行するステップを更に有する請求項1に記載の方法。
【請求項３】
ある標準のプロトコルによる少なくとも１つの第４の種類のデータ形式のために，第２受動検出手続を実行するステップを更に有する請求項２に記載の方法。
【請求項４】
ある標準のプロトコルによる少なくとも１つの更なるデータ形式のために，少なくとも１つの更なる開始手続を実行するステップを更に有する請求項1に記載の方法。
【請求項５】
ある標準のプロトコルによる少なくとも１つの更なるデータ形式のために，少なくとも１つの更なる受動検出手続を実行するステップを更に有する請求項３に記載の方法。
【請求項６】
前記遅延の1つは，固定長遅延として実行する請求項１〜５のいずれか一項に記載の方法。
【請求項７】
前記遅延の1つは，ランダム長遅延として実行する請求項１〜６のいずれか一項に記載の方法。
【請求項８】
２回目ごとに実行する前記遅延は，ランダム長遅延である請求項１〜７のいずれか一項に記載の方法。
【請求項９】
２回目ごとの前記ランダム長遅延は，ゼロを含まない所定の時間範囲から選択されたランダム長として実行され，ほかの各ランダム長は，ゼロを含む所定の時間範囲から選択される請求項８に記載の方法。
【請求項１０】
ある標準のプロトコルによる第1データ形式のための第1開始手続を実行するステップと，
ある標準のプロトコルによる第２データ形式のための第２開始手続を実行するステップと，
固定長遅延を実行するステップと，
ある標準のプロトコルによる第1データ形式のための第1開始手続を実行するステップと，
ある標準のプロトコルによる第２データ形式のための第２開始手続を実行するステップと，
第1時間範囲から無作為に選択したランダム長遅延を実行するステップと，
ある標準のプロトコルによる第1データ形式のための第1開始手続を実行するステップと，
ある標準のプロトコルによる第２データ形式のための第２開始手続を実行するステップと，
固定長遅延を実行するステップと，
ある標準のプロトコルによる第1データ形式のための第1開始手続を実行するステップと，
ある標準のプロトコルによる第２データ形式のための第２開始手続を実行するステップと，
第２時間範囲から無作為に選択したランダム長遅延を実行するステップと，
反復処理においてこれらの動作を繰り返すステップと，
のシーケンスを有する請求項９に記載の方法。
【請求項１１】
ある標準のプロトコルによる第1データ形式のための第1開始手続を実行するステップと，
ある標準のプロトコルによる第２データ形式のための第２開始手続を実行するステップと，
固定長遅延を実行するステップと，
ある標準のプロトコルによる第３データ形式のための第1受動検出手続を実行するステップと，
ある標準のプロトコルによる第４データ形式のための第２受動検出手続を実行するステップと，
第1時間範囲から無作為に選択したランダム長遅延を実行するステップと，
ある標準のプロトコルによる第1データ形式のための第1開始手続を実行するステップと，
ある標準のプロトコルによる第２データ形式のための第２開始手続を実行するステップと，
固定長遅延を実行するステップと，
ある標準のプロトコルによる第３データ形式のための第1受動検出手続を実行するステップと，
ある標準のプロトコルによる第４データ形式のための第２受動検出手続を実行するステップと，
第２時間範囲から無作為に選択したランダム長遅延を実行するステップと，
反復処理においてこれらの動作を繰り返すステップと，
のシーケンスを有する請求項９に記載の方法。
【請求項１２】
前記の開始手続を実行するステップが，
第1出力電力で，第1所定時間，第１無線周波の信号シーケンスを送信するステップと，
データ信号を受信するための受信器を活性化するステップと，
データ信号が何も受信されなかったときは，第２出力電力で，第２所定時間，第2無線周波の信号シーケンスを送信するステップと，
を有する請求項１に記載の方法。
【請求項１３】
データ信号が受信されたとき，ある標準のプロトコルによる少なくとも１つのデータ形式に従って，受信したデータ信号を評価するステップを更に有する請求項１２に記載の方法。
【請求項１４】
前記受信器を活性化する前記ステップと，データ信号が受信されたとき，少なくとも１つのデータ形式のタイミングに従って，受信したデータ信号を評価する前記ステップとを別個に実行する請求項１３に記載の方法。
【請求項１５】
前記方法を，多機能ＲＦＩＤリーダである近距離通信多機能デバイスによって実行する請求項１に記載の方法。
【請求項１６】
計算機プログラム製品であって，計算機又はネットワークデバイス上で動作させると請求項１〜１５のいずれか一項の方法を実行する，計算機可読媒体上に格納されたプログラムコードを含む計算機プログラム製品。
【請求項１７】
計算機プログラム製品であって，計算機又はネットワークデバイス上で動作させると請求項１〜１５のいずれか一項の方法を実行する，サーバからダウンロード可能なプログラムコードを含む計算機プログラム製品。
【請求項１８】
用いられるさまざまな標準の，さまざまなプロトコルによる，さまざまなデータ形式を有する環境における近距離通信デバイスのための電子近距離通信モジュールであって，
少なくとも１つのアンテナと，
少なくとも１つのアンテナに接続した受信器と，
少なくとも１つのアンテナに接続した送信器と，
前記受信器及び前記送信器に接続した処理ユニットと，
前記処理ユニットに接続したメモリユニットと，を備え，
前記メモリユニットは，ある標準のプロトコルによる第１データ形式，及びある標準のプロトコルによる第２データ形式を格納するようにし，
前記処理ユニットは，前記送信器と，前記受信器と，前記アンテナとを介して，
ある標準のプロトコルによる第1データ形式のための第1開始手続と，
ある標準のプロトコルによる第２データ形式のための第２開始手続と，
遅延と，
反復処理におけるこれらの動作の繰り返しと，
を実行するように構成するモジュール。
【請求項１９】
前記処理ユニットに接続する乱数発生器及びタイマ双方を更に備え，
前記処理ユニットは，前記タイマによってさまざまな時間長を決定するように構成され，更に前記乱数発生器から得られる乱数によってランダム長遅延の時間長を決定するように構成する請求項１８に記載の電子近距離通信モジュール。
【請求項２０】
前記デバイスは，組み込みメモリデバイスにハードコードされた，請求項１〜１５のいずれか一項に記載のシーケンスを含むことを特徴とする請求項１８又は１９のいずれか一項に記載の電子近距離通信モジュール。
【請求項２１】
受信データ及び評価データを記憶するために，前記処理ユニットに接続した記憶デバイスを更に含み，請求項１８〜２０にいずれか一項に記載のモジュールによって特徴付けられる電子近距離通信多機能デバイス。
【請求項２２】
ユーザインタフェースを更に備える請求項２１に記載の電子近距離通信可能多機能デバイス。
【請求項２３】
通信ネットワークインタフェースを更に備える請求項２１に記載の電子近距離通信可能多機能デバイス。
【請求項２４】
前記通信ネットワークインタフェースは，セルラ電話ネットワークインタフェースとする請求項２３に記載の電子近距離通信可能多機能デバイス。
【請求項２５】
前記近距離通信多機能デバイスは，多機能ＲＦＩＤリーダとする請求項２１に記載の近距離通信可能多機能デバイス。
【請求項２６】
請求項２０〜２５のいずれか一項に記載の少なくとも２つの電子ＲＦＩＤ通信可能多機能デバイスを備え，請求項１〜１５のいずれか一項に記載のデータ交換方法を実行する電子近距離通信システム。
【発明の詳細な説明】
【技術分野】
【０００１】
本発明は，近距離通信（Near Field Communication）（ＮＦＣ）システムに関する。また本発明は，移動体デバイス間のデジタルデータ交換にも関する。より特定すれば本発明は，ＲＦタグ通信システムの改善に関し，多機能デバイスの動作強化のために多機能デバイスのＲＦモジュールに関して格納されているＲＦモジュール情報を，間接的かつ内部的に利用するための移動体多機能デバイス内の手段を提供する。また本発明は，ユーザインタフェースを簡素化し，対話の自動解決によってユーザを補助する方法に関する。
【背景技術】
【０００２】
以降「多機能デバイス」という表現は，ＲＦＩＤとして動作することができ，更にＲＦＩＤタグを模擬することができ，かつ更にＲＦＩＤタグとＲＦＩＤリーダとの間のデータ送信に類似して，もう１つのＲＦＩＤ「多機能デバイス」とデータを交換するために用いることができるＲＦＩＤデバイスを指すものとする。
【０００３】
さまざまな多機能デバイス間でのデータ交換は，必然的に実際に用いられるデバイス機能を判定できないことになる。以降，近距離通信を開始するための信号を送信するデバイスを，「イニシエータ」という表現で呼ぶこととする。通常のＲＦＩＤ体系においては，イニシエータは常にデータを要求するＲＦＩＤリーダである。多機能デバイスの場合，イニシエータはデータを受信したり，データ送信を要求したりすることができる。
【０００４】
以降，イニシエータが開始信号を送信する先のデバイスを，「ターゲット」と呼ぶこととする。実際には２つの異なる種類のターゲット，すなわち能動型ターゲット及び受動型ターゲットがあってもよい。通常のＲＦＩＤリーダ／ＲＦＩＤタグ体系においては，受動型ターゲット，すなわち常に初期データ送信を行うＲＦＩＤタグ，だけがある。
【０００５】
多機能デバイス体系においては，多機能デバイスは能動型ターゲットの役割であってもよいし，受動型ターゲットの役割であってもよい。受動型ターゲットの役割をする場合は，多機能デバイスは通常のＲＦＩＤタグを模擬する。能動型ターゲットの役割をする場合は，多機能デバイスは自身の内部電力を用いて能動的にデータ交換を行うことができる。通信が多機能デバイス同士，若しくは多機能デバイスとほかのＮＦＣデバイス又は基盤設備との間で行われるとき，タグサイズによっては制限されない。能動型ターゲットの役割においては，多機能デバイスはまた，情報又はデータを要求することができる。
【０００６】
例えばＲＦＩＤ技術のような現在のＲＦタグ技術は，電磁波スペクトラムの無線周波（ＲＦ）部分における誘導結合又は容量結合を利用している。ＲＦＩＤリーダは，少なくともアンテナと，受信器と，送信器とを含み，ＲＦＩＤリーダがＲＦ信号を送受信することができる。ＲＦＩＤリーダが接触するか，タグの所定の局所範囲内に入ったとき，ＲＦ信号がトランスポンダ，すなわち「タグ」を活性化する。タグが活性化されると，情報をＲＦＩＤリーダに返送する。より特定すれば，受動型タグの場合（すなわち内部電源を持たない場合），タグはＲＦＩＤリーダが発生する時間で変動する電磁ＲＦ波によってエネルギーを与えられる。ＲＦ場がタグのアンテナコイルを通過すると，コイルに電圧が発生する。この電圧が結局タグに電力を与えるために用いられ，タグがリーダに情報を返送できるようにする。これはときどき，「結合」と呼ばれる。
【０００７】
実際市場で，例えばＩＳＯ１４４４３−４と，Ｍｉｆａｒｅ（登録商標）と，ＦｅｌｉＣａ（登録商標）と，ＮＦＣと，ＥＣＭＡ３５２とのような，さまざまな近距離通信標準が利用可能である。
【０００８】
ＲＦＩＤタグの技術背景に関連する文書は，米国特許出願第２００４−００７７３８３−Ａ１であり，強化ＲＦＩＤタグの技術を開示している。
【０００９】
ＲＦＩＤ技術の標準的アプリケーションにおいては，１種類のＲＦＩＤタグだけがある環境に，独自のＲＦＩＤリーダが置かれている。標準的なアプリケーションでは，デバイスが１つの環境においてさまざまな種類のＲＦＩＤタグを扱う必要はない。例えば倉庫やスーパマーケットにおいては，さまざまな製造事業者のさまざまなリーダによってだけ読むことができるさまざまな種類のＲＦＩＤタグを用いる理由はない。さまざまなタグを用いるとさまざまな種類のリーダを提供する出費が増え，更に互換性の問題が生じるかもしれない。
【００１０】
過去いくつかのポーリング方式が用いられたが，どれも移動体デバイス間でのＲＦＩＤ対話に用いるのには十分適したものではなかった。
【００１１】
今やＲＦＩＤ技術は移動体多機能デバイスにおけるＮＦＣ（近距離通信）実装に拡張することができ，タグと，リーダと，それら相互との間の対話を可能にしている。相互間の対話は，ＲＦＩＤタグを読み出す能力，すなわちＲＦ信号を送信する能力と，返送されたＲＦ信号を処理できる可能性とに起因する。ＲＦＩＤリーダにＲＦＩＤタグを模擬する能力を実装するために必要な出費は，信号処理能力と，送信器と，受信器とが既に提供されているので極めてわずかである。通常の開始プロセスにおいて「カードウォーミング（cardwarming）」信号は，普通はトランスポンダデバイスを起動させたり，組み込み電源を持たないＲＦＩＤタグに電力を供給したりするために用いられる。この能力を１つの移動体タグリーダ（タグを模擬している）から標準のリーダに，別のデータを転送するために用いることができる。
【００１２】
さまざまなＲＦタグ技術への興味及び利用が最近大きく増大し，通常の製造ライン及び電子的物品監視アプリケーション以外のさまざまなＲＦタグアプリケーションの開発につながっている。ＲＦタグ技術は，特に移動体通信環境において近い将来に近距離対話アプリケーションを提供する先導的技術の１つになると考えられる。
【００１３】
上述の通常のＲＦＩＤタグ検出方法はすべて，携帯電話機や携帯型計算機のような移動体多機能デバイスに用いるには適していない点で共通している。これは，一方ではＲＦＩＤタグがいまだに１つの種類のＲＦＩＤしか用いない独自アプリケーションであり，他方では移動体デバイス間のデータ交換のためのＲＦＩＤ技術の可能性がまだ十分に認識されていないことに起因する。
【先行技術文献】
【特許文献】
【００１４】
【特許文献１】特開２００４−２００８４０号公報
【特許文献２】特開２００３−０２２４２２号公報
【特許文献３】国際公開第０１／０５０４０７号
【特許文献４】特開２００１−２８３１６２号公報
【発明の概要】
【課題を解決するための手段】
【００１５】
２つの多機能デバイスが正しくアイテム，すなわちデジタルデータを選択し，それによって２つのデバイス間で同時送信のためにデータを共有又は交換し，データ交換の衝突を解決できるポーリング方式が望まれる。したがって双方の多機能デバイスは，データ送信を意図してイニシエータモード又はターゲットモードにあり，それらがこのモードに留まると，ほかのデバイスから起動信号を受信するために互いに待機している２つのＲＦＩＤタグのようにデータ交換は不可能である。
【００１６】
また移動体ＮＦＣ多機能デバイスが，タグ又は共に動作するほかの多機能デバイスと異なる製造事業者が提供したＲＦＩＤモジュール，若しくは異なるプロトコルを利用するＲＦＩＤモジュールを用いる場合に生じる可能性がある問題を避けることが望ましい。すなわち，互換性の問題を解決することが望ましい。
【００１７】
避けることが望ましいもう１つの状況は，ユーザが多機能デバイスのモードを交換モードに設定した後に，イニシエータモード若しくは（能動又は受動の）ターゲットモードからほかのモードに変えずに，気が変わったときである。したがってまた，デバイスがほとんど同時に例えばもう１つのタグ，タグリーダ又はもう１つの多機能デバイスとインターリーブ形式でデータ交換を行う一方で，もう１つの多機能デバイス，新しいＲＦＩＤタグ又は新しいＲＦＩＤリーダを認識することが望ましい。
【００１８】
本発明の第１態様によれば，複数標準の複数プロトコルによる複数データ形式を用いるＲＦＩＤ又はＮＦＣ対応のデバイス間で対話が望まれる環境において，多機能ＮＦＣデバイス又はＲＦＩＤデバイスを動作させる方法が提供される。基本実施例における方法は，所定標準の所定プロトコルによる第１データ形式のための第１開始手続を実行するステップと，所定標準の所定プロトコルによる第２データ形式のための第２開始手続を実行するステップと，遅延を実行するステップと，巡回又は反復処理においてこれらの動作を繰り返すステップとを有する。本願明細書全体において，「近距離通信（ＮＦＣ）」という表現は，「ＲＦＩＤ」を包含することに留意されたい。ＮＦＣはＲＦＩＤ技術の特徴を完全に含む。
【００１９】
通常のＲＦＩＤ技術の表現によれば，１つの態様による本発明の方法は，第１の種類のＲＦＩＤタグに対するタグ通信手続を実行するステップと，第２の種類のＲＦＩＤタグに対するタグ通信手続を実行するステップとを有し，少なくとも１待機期間がそれらに続く。
【００２０】
ＲＦＩＤタグの場合，第１開始手続は第１の種類のＲＦＩＤタグに対する通信手続であって，第１出力電力で，第１所定期間，第１無線周波信号シーケンスを送信することによって第１カードウォーミング手続を実行するステップと，前述の多機能デバイスの受信器モードを活性化するステップと，第１データ形式に従って受信したデータ信号を評価するステップと，何の応答も検出されないときは，第２所定期間，第１カードクーリング（cardcooling）手続を実行するステップと，を有してもよい。すなわち多機能デバイス環境においては，方法は第１のデータ形式，プロトコル又は標準によるＮＦＣコネクションのためのポーリング手続又は開始手続から始める。
【００２１】
またＲＦＩＤタグの場合，第２開始手続は第２の種類のＲＦＩＤタグに対する通信手続であって，第２出力電力で，第３所定期間，第２無線周波信号シーケンスを送信することによって第２カードウォーミング手続を実行するステップと，前述の多機能デバイスの受信器モードを活性化するステップと，第２データ形式に従って受信したデータ信号を評価するステップと，何の応答も検出されないときは，第４所定期間，第２カードクーリング手続を実行するステップと，を有してもよい。すなわち方法は，第２の種類のＲＦＩＤタグに対するポーリング手続に続く。
【００２２】
すなわち多機能デバイス環境においては，方法は第２のデータ形式，プロトコル及び／又は標準によるもう１つのＮＦＣコネクションのためのポーリング手続に続く。
【００２３】
このポーリング手続の組合せは，「２重ポーリング」又は「２重開始」と呼ぶことができる。
【００２４】
ＲＦＩＤタグの場合，第１カードウォーミング手続の送信期間と，周波数と，送信電力とは，第２カードウォーミング手続の対応する値と異なってもよい。第１受信器モードの活性化及び評価の受信器モード活性化期間と，周波数と，評価論理とは，第２受信器モードの活性化及び受信信号評価の対応する値と異なることが期待される。また第１カードクーリング手続のカードクーリング期間は，第２カードクーリング手続の期間と異なってもよい。
【００２５】
すなわち本発明の実施例による方法は，さまざまな種類のＲＦＩＤタグ又は多機能ＮＦＣデバイスとの通信又は読出しをポーリング又は試行することによって始める。
【００２６】
この「２重ポーリング」は，３種の異なる遅延期間のうち１つに続く。遅延期間中多機能デバイスは，バッテリ電力を節約するために受信器，送信器又は送受信機を非活性化する遅延状態にある。遅延期間は，所定長の遅延期間，第１時間枠内の第１ランダム時間の第１ランダム遅延期間，又は第２時間枠内の第１ランダム時間の第２ランダム遅延期間であってよい。
【００２７】
この特徴は，上記の課題のほとんどを処理するのに有利である。その後にＮＦＣ多機能デバイスは，さまざまな種類のＲＦＩＤタグ又はＮＦＣ多機能デバイスと通信することができる。例えばこれは，第１の種類のＮＦＣ多機能デバイスのための開始手続に続いて，第２の種類のＮＦＣ多機能デバイスのための開始手続を行うことによって達成される。
【００２８】
すなわち，例えば第１ＲＦＩＤタグ（又はＮＦＣ多機能デバイス）からデジタル情報を読み取ろうとしたとき，実際は多機能デバイスが通信中だった場合，別の種類のＲＦＩＤデバイス（又はＮＦＣ多機能デバイス）とのコネクションは２番目の通信手続中に開始してもよい。
【００２９】
例えばユーザが，友人のＮＦＣ多機能デバイスにデータを送信するように設定したが，思ったより早く例えばＲＦＩＤ改札口に到着してチケットを提示しなければならないとき，多機能デバイスは改札口にあるＲＦＩＤリーダを，必要な信号送信の指示として認識することができる。ユーザは，別の操作を実行する前に多機能デバイスの端末ＮＦＣ探索モードを変える必要はない。この基本方法によって多機能デバイスは，ＮＦＣ通信によって第２の多機能デバイスとデジタルデータを交換するように設定すると，さまざまな種類のタグ，リーダ又は多機能デバイスにほとんど同時にデータを送信することができる。
【００３０】
３つの異なる遅延期間は，異なる技術課題を処理するために用いられる。所定長の遅延期間は，限られたバッテリ能力のために，移動体デバイスの全体電力消費を減少させるために用いることができる。２つの異なるランダム長遅延期間は，例えば２つの多機能デバイスがお互いに同時に開始手続を実行しようとした場合に起こるかもしれないもう１つの課題を処理するために用いられる。
【００３１】
２つの異なるデバイスが同時に開始信号を送信すると，これらのデバイスはどの開始信号も受信又は認識することができない。開始手続が同期していると，デバイスが同期状態にある限り将来もお互いに認識することができない。ランダム遅延期間を利用することによって，本発明のステップが繰り返される間に起きるかもしれない同期状態を解くことができる。
【００３２】
この基本ポーリング方式は，異なるデータ形式，プロトコル及び／又は標準を交替させ，移動体デバイス内のプロセッサ負荷が過大にならないように十分な遅延時間を提供する。
【００３３】
方法が再開すると，ランダム長遅延期間が過ぎた後，第１開始手続の第１ステップが繰り返される。
【００３４】
この繰り返しは，１つのＮＦＣ「２重ポーリング」イベントから，移動体多機能デバイスがその環境で利用可能なＲＦＩＤタグ，ＲＦＩＤリーダ又はＮＦＣ多機能デバイスを周期的に探索するモードへ遷移することを表している。明らかにこの実施例は，同一のＲＦＩＤタグ，ほかの多機能デバイス，又は相互にポーリングしている２つの異なるＮＦＣ多機能デバイス間の同期状態を解く，ランダム長遅延期間の利点を示している。
【００３５】
この「２重ポーリング」は，前述の３つの異なる遅延期間のうち１つに続く。基本的にこの実施例は，閉じた巡回手続であって，各「２重ポーリング」の後に固定長遅延期間又は２つのランダム長遅延期間のうち１つが用いられ，固定値遅延期間に（直接又は間接に）続くランダム長遅延期間は交互に起きる。ランダム長遅延期間は，厳密に交互に用いられることが把握されるであろう。例えば５０ｍｓである第１時間値と，例えば１２５ｍｓである第２時間値との間の時間枠を持つ第１ランダム値長遅延期間とを用いることができる。例えば０ｍｓである第１時間値と，例えば１００ｍｓである第２時間値との間の時間枠を持つ第２ランダム値長遅延期間とを用いることができる。
【００３６】
もう１つの例示実施例において前述の方法は，少なくとも１つの更なるデータ形式，プロトコル又は標準のための，少なくとも１つの更なる開始手続を実行するステップを更に有する。この実施例は，３重，４重，又は多重のポーリング方式への遷移を表している。
【００３７】
通常のＲＦＩＤタグ環境の場合この実施例は，追加出力電力で，追加の所定期間，追加の無線周波信号シーケンスを送信し，前述の受信器を活性化し，データ信号が受信されたとき，追加データ形式によって受信データ信号を評価することによって，少なくとも１つの追加カードウォーミング手続を実行し，そしてもう１つの追加の所定期間，追加カードクーリング手続を実行することによって実装される。
【００３８】
この実施例において「２重ポーリング」の原理は，プロトコル検出時間に追加開始手続を加えることによって，「３重ポーリング」，「４重ポーリング」又はそれ以上に拡張される。本発明のこの実施例において，追加標準の追加プロトコルによる追加データ形式は，実際の２重ポーリング方式にほかのデータ形式，プロトコル又は標準における任意の追加ポーリング方式を拡張することによって利用可能にできる。この実施例は，「２重ポーリング」から「多重ポーリング」ＮＦＣ通信開始方式への遷移を表している。
【００３９】
例示実施例において本発明の方法は，ある標準のプロトコルによる少なくとも１つの第３の種類のデータ形式に対する第１受動検出手続を実行するステップを有する。
【００４０】
この実施例は，能動型ターゲットの役割をするデバイスを備えるか又は表している。遅延期間中のデバイスとは対照的に，多機能デバイスの受信器は活性化され，（少なくとも１つの種類の）開始信号を受信して応答することができる。「第３の種類のデータ形式」という表現は，開始手続において多機能デバイスが用いるデータ形式が，受動検出手続において用いられるデータ形式と異なってもよいことを強調するために選ばれた。
【００４１】
受動検出手続において多機能デバイスは，本明細書の導入部で述べたように，受動型ターゲットとして動作してもよいし，又は能動型ターゲットとして動作してもよい。すなわち，前述の受動検出手続の実行時に，単に１つの標準の１つのプロトコルだけではなくより多くによる１つ以上のデータ形式の検出が考慮される。
【００４２】
もう１つの例示実施例において方法は，ある標準のプロトコルによる少なくとも１つの第４の種類のプロトコルのための少なくとも１つの第２受動検出手続を更に有する。
【００４３】
第１受動検出手続と第２受動検出手続とは，「２重受動検出手続」の形態で直接引き続いて実行することができる。
【００４４】
第１及び第２のデータ形式（プロトコル及び／又は標準）は，第３及び第４のデータ形式と同一（すなわち，第１データ形式＝第３データ形式，第２データ形式＝第４データ形式，又は第１データ形式＝第４データ形式，第２データ形式＝第３データ形式）であってよいことに注意されたい。また，開始手続及び前述の受動検出手続のために，全く別のデータ形式（プロトコル及び／又は標準）を用いることも考慮される。
【００４５】
受動検出手続を用いることによってデバイスは，選択した形式で提示するためにアイテムすなわちデータを共有するように能動的に試みる。この実施例は，多機能デバイスのＲＦＩＤリーダモードとＲＦＩＤタグ模擬モードとを交替させることによって実装することができる。この実施例は，多機能デバイスが能動共有モード又は能動交換モードにあるとき，シーケンスの中に挿入されたデータ提示フィールドによって修正されたポーリング方式を表している。
【００４６】
本発明のもう１つの例示実施例において前述の方法は，前述のほかのデータ形式とは異なる少なくとも１つの更なるデータ形式のための，少なくとも１つの更なる受動検出手続を実行するステップを更に有する。この実施例は，３重，４重又は多重の受動検出手続方式への遷移を表す。
【００４７】
この実施例においては，プロトコル検出時間に追加の受動検出手続を加えることによって，「２重受動検出手続」の原理が「多重受動検出手続」に拡張されている。本発明のこの実施例においては，実際の２重受動検出手続方式にほかのデータ形式の任意の追加受動検出手続シーケンスを拡張することによって，追加データ形式が利用可能になる。
【００４８】
１つの例示実施例においては，前述の遅延のうち１つが固定長の遅延として実行される。遅延期間は，方法の各反復に対して異なってもよいことに注意されたい。例えば２つの異なる固定長期間を交替させることが，想起される。さまざまな固定長期間の所定の（又は無作為な）シーケンスを用いることもできる。遅延期間中多機能デバイスの送信器及び受信器は，電力を節約し，動作時間を延長するために非活性化される。
【００４９】
もう１つの例示実施例においては，２回目ごとに実行される前述の遅延はランダム長期間の遅延である。
【００５０】
追加の例示実施例においては，２回目ごとの前述のランダム長遅延は，ゼロを含まない所定の時間範囲から選択されたランダム長遅延として実行され，ほかのランダム長期間はそれぞれ，ゼロを含む所定の時間範囲から選択される。これは，固定長遅延と，第１ランダム長遅延と，固定長遅延と，第２ランダム長遅延とからなるシーケンスになる。
【００５１】
本発明のもう１つの追加例示実施例において前述の方法は，ある標準のプロトコルによる（以降，「ある標準のプロトコルによる」を「ＡＰＳ」と略す）第１データ形式のための第１開始手続を実行するステップと，ＡＰＳ第２データ形式のための第２開始手続を実行するステップと，固定長遅延を実行するステップと，ＡＰＳ第１データ形式のための第１開始手続を実行するステップと，ＡＰＳ第２データ形式のための第２開始手続を実行するステップと，第１時間範囲から無作為に選択したランダム長遅延を実行するステップと，ＡＰＳ第１データ形式のための第１開始手続を実行するステップと，ＡＰＳ第２データ形式のための第２開始手続を実行するステップと，固定長遅延を実行するステップと，ＡＰＳ第１データ形式のための第１開始手続を実行するステップと，ＡＰＳ第２データ形式のための第２開始手続を実行するステップと，第２時間範囲から無作為に選択したランダム長遅延を実行するステップと，反復処理においてこれらの動作を繰り返すステップとからなるシーケンスを有する。ＲＦＩＤ環境の場合これは，多重ポーリングと，固定長遅延期間と，多重ポーリングと，第１時間枠ランダム長遅延期間と，多重ポーリングと，固定長遅延期間と，多重ポーリングと，第２時間枠ランダム長遅延期間とからなる各ステップのシーケンスとして実装することができる。
【００５２】
またもう１つの例示実施例において方法は，ＡＰＳ第１データ形式のための第１開始手続を実行するステップと，ＡＰＳ第２データ形式のための第２開始手続を実行するステップと，固定長遅延を実行するステップと，ＡＰＳ第３データ形式のための第１受動検出手続を実行するステップと，ＡＰＳ第４データ形式のための第２受動検出手続を実行するステップと，第１時間範囲から無作為に選択したランダム長遅延を実行するステップと，ＡＰＳ第１データ形式のための第１開始手続を実行するステップと，ＡＰＳ第２データ形式のための第２開始手続を実行するステップと，固定長遅延を実行するステップと，ＡＰＳ第３データ形式のための第１受動検出手続を実行するステップと，ＡＰＳ第４データ形式のための第２受動検出手続を実行するステップと，第２時間範囲から無作為に選択したランダム長遅延を実行するステップと，反復処理においてこれらの動作を繰り返すステップとからなるシーケンスを有する。
【００５３】
前述の４つの「多重ポーリング」シーケンスとは対照的に，本発明のこの実施例は２つの受動検出シーケンスを有する。
【００５４】
図４に修正されたポーリング方式が示されており，選択された形式，プロトコル及び／又は標準で提示されるアイテム及びデータを，デバイスが能動的に共有しようとしている。この提示は，１つおきのポーリング時間スロットだけを置き換える。これらは，図４に示す第２，第４スロットである。この実施例は，ＲＦＩＤリーダ（イニシエータ）モードとＲＦＩＤタグ模擬（ターゲット）モードを交互に用いるＮＦＣ多機能デバイスとして説明することができる。追加のステップを用いて，基本的に異なる動作を実行させることができることに注意されたい。この実施例は，多機能デバイスが能動共有モード又は能動交換モードにあるとき，シーケンスの中に挿入されたデータ提示フィールドによって修正されたポーリング方式を表している。
【００５５】
決定したデータ形式で，前述の送信器を介して送信されるデータは，ある標準のプロトコルによる前述の第１データ形式，前述の第２データ形式，又はもう１つの，第３のデータ形式ですら送信することができる。
【００５６】
またもう１つの例示実施例において前述の方法は，前述の受信器モードの前述の活性化のための前述の第１及び第２データ形式の連続を変更するステップと，２回目ごとに起きる前述のランダム長遅延期間に少なくとも１回，受信信号を評価するステップとを更に有する。
【００５７】
もう１つの例示実施例においては，前述の第１，第２及び／又は更なる開始手続の間，２つ以上の形式の検出が可能である。この特徴は，さまざまなデータ形式による受信信号を別々に評価することによって可能になる。これは，受信データ信号の記憶及びいくつかの引き続いて実行される別の評価処理によって達成することができる。すなわち２つ以上のデータ形式の検出は，信号検出スロットにおいて何らかの信号が受信されたときに考慮される。
【００５８】
１つの例示実施例において前述の開始手続は，第１出力電力で，第１所定時間，第１無線周波の信号シーケンスを送信するステップと，データ信号を受信するための受信器を活性化するステップと，データ信号が何も受信されなかったときは，第２出力電力で，第２所定時間，第２無線周波の信号シーケンスを送信するステップと，を有する。
【００５９】
多機能デバイスが，ＲＦＩＤタグ又は受動型ターゲットモードにあるもう１つの多機能デバイスのような受動型ターゲットと通信しようとしているとき，第１出力電力の，第１所定時間の信号シーケンスは，受動型ターゲットを起動する連続波信号であってもよい。多機能デバイスが，ＮＦＣ能動ターゲット，すなわち能動型ターゲットモードにあるもう１つの多機能デバイスと通信しようとしているとき，第１出力電力の，第１所定時間の信号シーケンスは，応答を受信できるようにするための間げきを有する中断のある信号シーケンスであってもよい。また能動型ターゲットの信号シーケンスは，多機能デバイス識別データを有してもよい。
【００６０】
もう１つの例示実施例において方法は，データ信号が受信されたとき，ある標準のプロトコルによる少なくとも１つのデータ形式によって，受信したデータ信号を評価するステップを更に有する。
【００６１】
本発明の更にもう１つの例示実施例においては，前述の受信器を活性化する前述のステップと，データ信号が受信されたとき，追加のデータ形式のタイミングによって，受信したデータ信号を評価する前述のステップとを別個に実行する。すなわち受信信号検出は，ポーリング処理を高速化するために後に行うデータ形式の評価と分離されている。
【００６２】
遅延期間中に（例えば活性化された受信器による）ＲＦ電界の検出が可能であることは，秘密にすべきではない。すなわち遅延モードにあるデバイスは，ほかのリーダ又は多機能デバイスからの起動信号を検出できる「タグ模擬」モードで動作することができる。
【００６３】
本発明の更にもう１つの例示実施例においては，前述の方法は多機能ＲＦＩＤリーダである近距離通信多機能デバイスによって実行される。この実施例において方法は，例えば少なくともある標準のプロトコルによるデータ形式の第１開始手続，及びある標準のプロトコルによるデータ形式の第２開始手続である任意の種類の開始手続に限定される。更にリーダは，いくつかの別の遅延手続のうち１以上を行うことができる。ＲＦＩＤリーダは，上述の実施例のうちいくつかの受動検出ステップだけを行わないこの方法の実施例を実行する。すなわち，多機能ＲＦＩＤリーダはさまざまなＲＦＩＤタグを読み取ることができ，さまざまなＮＦＣ多機能デバイスと通信できることが好ましいが，ＲＦＩＤタグを模擬することはできないと想定される。
【００６４】
本発明のもう１つの態様によれば，前述の強化されたＮＦＣポーリングを実行するように近距離通信多機能デバイスを動作させる方法を実行するための，サーバからダウンロードすることができる計算機プログラム製品が提供され，それは前述のプログラムが計算機又はネットワークデバイス上で実行されたとき前述の方法のすべてのステップを実行するプログラムコードを含む。
【００６５】
本発明の更にもう１つの態様によれば，近距離通信多機能デバイスを動作させる方法を実行するための計算機可読媒体上に格納されたプログラムコードを含む計算機プログラム製品であって，前述のプログラムが計算機又はネットワークデバイス上で実行されたとき，本明細書の前段に記載の強化されたＮＦＣポーリング方法を実行する計算機プログラム製品が提供される。
【００６６】
本発明の更にもう１つの態様によれば，さまざまな標準のさまざまなプロトコルによるさまざまなデータ形式を用いる環境のために，近距離通信デバイスのための電子近距離通信モジュールが提供される。そのデバイスは，少なくとも１つのアンテナと，その少なくとも１つのアンテナに接続された受信器と，前述の少なくとも１つのアンテナに接続された送信器と，前述の受信器及び送信器に接続された処理ユニットと，前述の処理ユニットに接続されたメモリユニットとを備える。前述のメモリユニットは，それぞれある標準のプロトコルによる少なくとも第１データ形式及び第２データ形式を格納するようになっている。前述の処理ユニットは，前述の送信器と，前述の受信器と，前述のアンテナとを介して，第１データ形式のための第１開始手続と，第２データ形式のための第２開始手続と，遅延とを実行し，かつ反復処理においてこれらの動作を繰り返すように構成される。
【００６７】
またほかの例示実施例においては，デバイスは追加開始手続及び受動検出手続を実行するように構成される。
【００６８】
既知のコンポーネントを用いて標準のＲＦＩＤリーダ機能を提供することができ，一方基本デバイスによってＲＦＩＤタグ模擬モード及びデータ送信モードを実行することも可能である。
【００６９】
もう１つの例示実施例においては，前述の電子近距離通信モジュールは，どちらも前述の処理ユニットに接続された乱数発生器及びタイマを更に備える。前述の処理ユニットは，前述のタイマによってさまざまな期間の時間長を決定するように構成され，更に前述の乱数発生器から得た乱数によってランダム長遅延の時間を決定するように構成される。
【００７０】
多機能デバイスの実装において処理ユニットは，開始手続及び受動検出手続の時間を決めるために，また決められた時間長の遅延期間及びランダム長遅延期間を実行できるために，前述のタイマ及び前述の乱数発生器に接続される。また前述のタイマ及び／又は前述の乱数発生器を前述の処理ユニットに組み込むこともできる。乱数発生器は，本発明の方法の前述の説明において開示されたとおり，前述の遅延期間がランダム長を有するように提供される。
【００７１】
前述のメモリユニットは，第１データ形式と，第２データ形式（それぞれ第１及び所定の標準の第１及び所定のプロトコルによる）と，所定長遅延期間の時間長と，２つの異なるランダム長遅延期間の時間枠とを格納するようにしてもよい。またメモリデバイスが，さまざまな所定長の，さまざまな期間の，さまざまな時間長の値を格納することも可能である。
【００７２】
また本発明においては，（０を含まない所定の時間枠内の）ランダム長期間が，固定長期間と，それに続く０を含む所定時間枠内のランダム長期間とからなってもよいことに注意されたい。
【００７３】
受動型ターゲット環境におけるＮＦＣ多機能デバイスに向けられた基本実施例においては，前述の処理ユニットは前述の送信器及び前述のアンテナを介して第１及び第２開始手続を実行し，前述の受信器モードを活性化するステップを含んで，ＡＰＳ第１及び第２データ形式によって受信データ信号を評価し，そして３つの異なる待機手続のうち少なくとも１つを実行するように構成される。３つの異なる待機手続は，少なくとも１つの所定長遅延期間と，第１時間枠内の第１ランダム長遅延期間と，第２時間枠内の第２ランダム長遅延期間とを含む。
【００７４】
またＮＦＣモジュールは，同一又は別の変調方式を用いてもよい別の周波数範囲にそれぞれ同調させた２つ以上の異なるアンテナと，２つの異なる送信器と，２つの異なる受信器を備えてもよい。
【００７５】
これらのコンポーネントによって本発明のモジュールは，さまざま種類のＲＦＩＤタグ又はＲＦＩＤリーダ及びＮＦＣ多機能デバイスと通信することができ，またＮＦＣデータ通信のためにＲＦＩＤ技術を用いることができる。
【００７６】
また本発明のモジュールには，例えば移動体多機能デバイスに接続され，又は組み込まれるモジュールインタフェースが提供されることに注意されたい。そのようなインタフェースは，移動体多機能デバイスに提供されるどんな種類のデータ交換に対しても，互換であるように実装できることは明白であろう。
【００７７】
本発明は近距離通信モジュールに関し，多機能デバイスの引き続く動作を強化し，指示するために，多機能デバイスのＲＦタグに関連して記憶されているＲＦタグ情報を，間接的かつ内部的に利用する移動体多機能デバイス内のモジュールを提供する。
【００７８】
もう１つの例示実施例においては，前述の近距離通信モジュールに，方法のステップの所定のシーケンスを格納する組み込みメモリデバイスが提供される。これは，デバイスが開始手続と，受動検出手続と，遅延との任意の所定のシーケンスを用いることができるようにする。
【００７９】
本発明の例示実施例において前述の処理デバイスは，受動検出手続に引き続き所定のデータ形式でデータを送信するように更に構成される。前述のデータ形式は前述の第１又は第２データ形式であってもよいし，またデータ送信のためのもう１つの（第３の）データ形式を用いてもよい。この実施例は，ほかのＮＦＣ多機能デバイスにデータを提示するために，タグを模擬するために必要なデータを送信するモジュールの能力を明示的に表している。
【００８０】
本発明のもう１つの態様によれば，電子ＮＦＣ多機能デバイスが提供される。電子ＮＦＣ多機能デバイスは基本的に，ＮＦＣモジュールと同一のコンポーネント，すなわちアンテナと，送信器と，受信器と，処理ユニットと，乱数発生器と，タイマと，メモリユニットと，を備える。またモジュールの解決策とは対照的に，処理ユニットは例えばデータ通信，データ処理又は音楽及び／又はビデオ再生のようなほかのアプリケーションにも用いることができる。
【００８１】
本発明の電子ＮＦＣ多機能デバイスは，移動体多機能デバイスであってもよいことが考慮される。
【００８２】
ＮＦＣモジュールと比べてＮＦＣ多機能デバイスは，受信データ及び評価済みデータを記憶するための，前述の処理ユニットに接続された記憶デバイスを更に備える。
【００８３】
例示実施例において前述の電子ＮＦＣ多機能デバイスには，更にユーザインタフェースが提供される。
【００８４】
また多機能デバイスには，前述の受信器を介して受信した任意の種類のデータを表示するユーザインタフェースが提供される。またデバイスには，計算機デバイスによってＮＦＣデータ後処理を可能にする計算機インタフェースが提供される。また前述の多機能デバイス内に記憶されたデータを利用できる計算機インタフェースも，間接ユーザインタフェースとして認識される。
【００８５】
本発明のもう１つの例示実施例において電子ＮＦＣ多機能デバイスは，通信ネットワークへのインタフェースを更に備える。そのインタフェースは，例えば有線構内ネットワーク（ＬＡＮ），無線（構内）ネットワーク，又は広域ネットワークへのインタフェースであってもよい。
【００８６】
本発明の更にもう１つの例示実施例において，前述の通信ネットワークインタフェースは携帯電話ネットワークへのインタフェースである。すなわち電子ＮＦＣ多機能デバイスは，携帯電話機を構成するか，又は携帯電話機に組み込まれる。本発明のこの実施例は，携帯電話機内のＲＦＩＤリーダを表す。本発明は少なくとも２つの異なるデータ形式のＲＦＩＤタグを読み取り，ＲＦＩＤタグを模擬し，そしてほかのＮＦＣ多機能デバイスと近距離通信を実行することができる携帯電話機内のＮＦＣ多機能デバイスを提供する。携帯電話機は，携帯電話機の処理段を用いてＲＦＩＤタグ又はＮＦＣ多機能デバイスからデータを読み取ることができる。携帯電話機は，（恐らく携帯電話機機能を有する）ほかのＮＦＣ多機能デバイスが動作範囲内にあるとき，ＲＦＩＤデータ転送技術を用いてそれとデータを交換することができる。本発明の携帯電話機は，デジタルデータを送受信するために本発明の方法を用い，それによってさまざまな種類のＲＦＩＤタグを検出し，ポーリングし，ＲＦＩＤタグを模擬し，もう１つのＮＦＣ多機能デバイスにコネクションを設定することができる。
【００８７】
本発明のもう１つの例示実施例においては，前述の近距離通信多機能デバイスは多機能ＲＦＩＤリーダである。ＮＦＣデバイスは，特別な組み込みＲＦＩＤデバイスを含む。したがって多機能ＮＦＣデバイスは，多機能ＲＦＩＤリーダとして組み込むことができる。多機能ＲＦＩＤリーダは，さまざまな種類のＲＦＩＤタグ及び（少なくともＲＦＩＤタグ模擬モードにある）ＮＦＣ多機能デバイスから情報を読み取ることができる。多機能ＲＦＩＤリーダデバイスは，少なくともある標準のプロトコルによるデータ形式の第１開始手続と，ある標準のプロトコルによるデータ形式の第２開始手続と，いくつかのさまざまな遅延手続のうち１つと，を実行することができる。
【００８８】
本発明の更にもう１つの例示実施例においては，電子ＮＦＣシステムが提供される。電子ＮＦＣシステムは本明細書の前段で開示したとおり，少なくとも２つの異なる電子ＮＦＣ多機能デバイスを含む。電子ＮＦＣシステムは，本発明の通信方法を用いる少なくとも１つのＮＦＣ通信デバイスを用いる。また双方のＮＦＣ多機能デバイスが，異なるデータ形式を用いている環境における近距離通信デバイスのための動作方法を用いることも可能である。この場合さまざまなランダム長遅延期間によって，相互に同期した開始手続が起きない連結した通信状態として，双方のデバイスが通信できることが保証される。
【００８９】
本発明の方法を用いることによって，少なくとも１つの電子ＮＦＣ多機能デバイスが，環境内にあるほかのＲＦＩＤタグ，ＲＦＩＤリーダ又はＮＦＣ多機能デバイスをポーリングし，検出することができる。また本発明の方法は，１つのＮＦＣ多機能デバイスからもう１つへ能動的なデータ転送ができるようにする。
【図面の簡単な説明】
【００９０】
【図１】ＲＦＩＤタグから情報を取得できる１つのＲＦＩＤリーダによって，現状のＲＦＩＤ技術を示す図である。
【図２】さまざまなＲＦＩＤタグ及びさまざまなＮＦＣ多機能デバイスと通信することができる，改善されたＮＦＣ多機能デバイス体系の例を示す図である。
【図３】本発明の１つの実施例によるＲＦＩＤ／ＮＦＣポーリング方式のフローチャートである。
【図４】本発明のもう１つの実施例による修正したＲＦＩＤ／ＮＦＣポーリング方式のフローチャートである。
【図５】ＮＦＣ基盤設備内の本発明によるＮＦＣ多機能デバイスの例を示す図である。
【発明を実施するための形態】
【００９１】
次に添付の図面を参照しつつ，本発明を詳細に説明する。
【００９２】
図１は技術の現状を表す図であり，同一データ形式のさまざまなＲＦＩＤタグ１０２，１０４，１０６から情報を取得できる１つのＲＦＩＤリーダ１００によって，現状のＲＦＩＤ技術を可視化している。今日ＲＦＩＤは，人々が持ち運ぶか若しくは商品又はチケット上に置かれ，若しくは例えばチケット又はテレホンカードなどに内蔵されたある固有の値を有するタグ１０２，１０４，１０６に問い合わせをするリーダ１００として実装されている。リーダ１００は，ドア，チケット改札口，生産ライン，入室管理（ａｃｃｅｓｓ
ｃｏｎｔｒｏｌ）システム，又はスーパマーケット内の非接触現金支払い（ｃａｓｈｉｎｇ）システムにさえも組み込むことができる。情報転送は，一種の準半２重通信で行われる。リーダは起動信号を送信してタグを誘導し，前述のタグに格納されている情報をタグが送信する。それらはしばしば独自の閉鎖システムであって，タグ１０２，１０４，１０６はただ１種類のＲＦＩＤリーダシステム１００によって理解できる必要がある。
【００９３】
図２は，さまざまなＲＦＩＤ／ＮＦＣデバイスと通信することができる改善されたＲＦＩＤ／ＮＦＣ体系の例である。将来，本発明の助けによってＮＦＣ環境はより世界的かつ開放型のものとなり，そのとき電話機又はＮＦＣ多機能デバイス１４０は，ＡＰＳさまざまなデータ形式を持つさまざまなタグ１３０，１３１，１３２，１３３，１３４，１３５と，ほかの（移動体）多機能デバイス１４２と，基盤設備デバイス１４４と，ほかの近距離通信デバイス１４６と，を理解し，対話できる必要が生じる。この開放型の，さまざまな環境においては，いくつかのロックアウト状態が生じる可能性がある点が課題である。多機能デバイス１４０が受信する複雑な多形式と多モードとの組合せを解決するために，検出方式の検討が必要である。
【００９４】
検出方式は，ＲＦＩＤタグ又はＮＦＣ多機能デバイスの存在を判定する第１ステップと，どれが検出されたかを解決する第２ステップとを解決することを意図している。データ処理及び通信は二次的ステップであり，検出問題が解決されるまで実行されない。
【００９５】
後出の図は，多機能デバイス１４０が，対話が必要かどうか判定するためにほとんどの時間は低電力モードにあることを示している。これは，ＮＦＣ多機能デバイス又はＲＦＩＤタグが動作範囲内にあるかどうかを確かめるために，形式を変え，短く，時間を変えた問い掛けを散在させたものである。可変長で間隔を変えた１以上の遅延要素をシーケンスに追加することによって，ＮＦＣ多機能デバイスが同期状態でロックアウトされる問題を解決することができる。
【００９６】
本実施例において，次に掲げる場合，多機能デバイス１４０のロックアウト状態が生じる。
・多機能デバイス１４０がタグ又はほかの多機能デバイスと対話しようとして，間違ったデータ形式，プロトコル及び／又は標準を用いたとき。
・多機能デバイス１４０が第２のデバイスに開始手続又はデータを提示し，双方が能動的共有モード又はデジタルアイテム提示モードにあるとき。
・ＲＦＩＤタグ又はＲＦＩＤタグを模擬する多機能デバイスを期待している基盤設備リーダに対向し，多機能デバイス１４０が「ＲＦＩＤリーダ」モードにあるとき。
・多機能デバイス１４０がデータ提示（すなわち，「タグ模擬」又は「ターゲット」）モードにあり，ＲＦＩＤタグ模擬モードにある多機能デバイス又はＲＦＩＤタグに対向しているとき。
・多機能デバイス１４０が，同期して同一のシーケンスを踏んでいる類似のデバイスに提示され，お互いに気付かないとき。
【００９７】
本発明は例えば図３及び４のポーリング方式を提供することができ，それによって上記のロックアウト状態を防ぐ解決策を提供することができる。
【００９８】
明りょうにするために言えば，図３及び４はカードウォーミング手続及びカードクーリング手続を用いるＲＦＩＤタグ環境における例である。任意の環境における一般的実装に対しては，カードウォーミング手続及びカードクーリング手続それぞれは，ＮＦＣ多機能デバイス間の所望の開始手続の対応するステップで置き換える必要がある。
【００９９】
図３は，本発明の１つの実施例によるＲＦＩＤポーリング方式のフローチャートである。この方式においては，さまざまな形式のデータに対する，１０ｍｓ〜３０ｍｓの短い探索期間が，変化する間隔で反復される。カードクーリングは，カードが形式を変える前に最後の読み出しから切り替わるための期間を与えるためにある。またこのカードクーリングは，タイマ期間の内１つが短いかもしれないので，走査処理の終わりにもある。多機能デバイスが双方とも，データ共有のような同一又は類似の処理を選択したとき，それらのうち１つが検出の可能性を最大化するように，間隔タイマはそれぞれ別の値を持つ。更にカードウォーミング時間もまた必要である。
【０１００】
基本ポーリングは図３に示したシーケンスで実行される。「ＣＷ」はカードウォーミング２であり，受動型カードをリーダが問い合わせたときにすぐに応答できる状態にするために実行する必要がある。カードウォーミング期間は，約５ｍｓの期間に設定される。「ＣＣ」はカードクーリング６であり，形式を変更するときに受動型カードが別の動作を行う前に休む時間があるようにするため必要である。カードクーリング期間は，約１ｍｓの期間に設定される。このシーケンスは，３つの遅延種別Ｄ１と，Ｄ２と，Ｄ３とを有する。遅延シーケンスの変容は，任意の２つの移動体デバイスが双方とも同一の共有又は交換状態に入ったとき，一方のデバイスが短時間内に他方を検出できることを保証するように，移動体デバイス間に十分なオフセットを与えるために必要である。Ｄ１は長い時間枠内の乱数である。Ｄ２は固定値であり，一度はＤ１の後，二度目はＤ３の後に２回用いられる。Ｄ３は短い時間枠内の乱数である。これは０であってもよいので，カードクーリングはＤ３に先立って行わなければならない。この周期は，双方の多機能デバイスがイニシエータとして動作しているときに，それらの間のコネクション確立を促進するために提供される２つの変化するランダム間げきのために変化する。
【０１０１】
この方法は，ポーリング方式の閉ループが符号１６で記された遅延期間Ｄ３に続くカードウォーミング手続（ＣＷ）２で始まるとき最も分かりやすく説明することができる。
【０１０２】
このように開始点を選択することによって，方法が遅延期間で始まることを防ぐことができる。図３においてポーリング方式は，さまざまな遅延期間で分離された４つの「２重ポーリング」イベントを含む。これら「２重ポーリングイベント」は，２つのポーリングイベントを含み，カードウォーミング手続２のそれぞれに，活性化された受信器が送信信号すなわちもう１つのデバイス又はＲＦＩＤタグから信号を受信する準備ができている受信待機期間４，８が続く。活性化受信器モードの期間に受信された信号があると，信号は特定のデータ形式，プロトコル及び／又は標準に従って分析され，評価される。受信待機期間は，カードクーリング手続６に続き，近傍のどのＮＦＣ多機能デバイスも完全に定義された状態を再開できる。例えばＲＦＩＤタグの場合，このクーリング時間はスリープモードの再開，又は半充電されたコンデンサを放電させるために用いられる。
【０１０３】
第１ポーリングイベント４は，”ＦｅｌｉＣａ（登録商標）”と記された第１受信待機期間４を構成し，期待される第１データ形式（ここではＦｅｌｉＣａ（登録商標））でのデータ送信を表している。”ＦｅｌｉＣａ（登録商標）”のための受信待機期間は，約７ｍｓの期間に設定される。活性化受信器モードのこの期間に受信された信号があると，信号はＦｅｌｉＣａ（登録商標）標準に従って分析され，評価される。
【０１０４】
この第１ポーリング手続は，第２ポーリングイベントに続き，第２ポーリングイベントは”Ｍｉｆａｒｅ（登録商標）”と記された第２受信待機期間８を構成し，そこでは”Ｍｉｆａｒｅ（登録商標）”標準に従った送信信号の受信が期待される。”Ｍｉｆａｒｅ（登録商標）”のための受信待機期間は約５ｍｓの期間に設定される。更に第２の監視フェーズでは割り込みが可能であり，それによって後にチケット販売のようなアプリケーションをＲＦ電界検出によって活性化できる。
【０１０５】
近距離通信デバイスへの接続及びデータのアップロードに続いて，コンテンツ形式を検証しなければならず，必要な操作又は処理が選択される。活性デバイスのＲＦ電界を検出した後，ＩＳＲは同一のコンテンツ形式検証処理にハンドオーバしなければならない。これによって検出問題は解決され，２つの多機能デバイス間で交換が継続できるかどうか，及びどの交換を継続できるかを判定するために，デバイス間のネゴシエーションが必要になる。
【０１０６】
すなわち本発明の方法はさまざまな近距離通信コネクションを探索する第１の２重ポーリング手続で始まる。各図においてさまざまなデータ形式（ソニー（登録商標）の”ＦｅｌｉＣａ（登録商標）”及びフィリップス（登録商標）の”Ｍｉｆａｒｅ（登録商標）”）でデータが探索されることが分かる。
【０１０７】
これは信号検出処理なので，ＮＦＣのようなほかの符号化形式も同一のポーリング機能で検出できる。自己電源を有するいくつかのＮＦＣデバイス（「能動型ターゲット」）に対しては，これは能動型ＮＦＣデバイスであり，カードウォーミング時間は厳密には必要ない。しかしそれは，能動型及び受動型ターゲット双方と通信する検出処理の能力を促進するために取っておくことが望ましい。
【０１０８】
本発明は，例えばＮＦＣ，ＩＳＯ１４４４３−４又はＥＣＭＡ３５２を含むほかの近距離通信標準にも直ちに拡張できることに注意されたい。本方法のこの拡張によって，関係するカードウォーミングと，受信と，カードクーリングとのステップを加えることによって，「３重ポーリング手続」又は「４重ポーリング手続」になる。したがってＥＣＭＡ３５２と，ＩＳＯ／ＩＥＣ１８０９２と，ほかのさまざまな形式とを，すべてこの検出概念に含むことができる。
【０１０９】
各「２重ポーリング」又は「多重ポーリング」の後，デバイスは遅延期間に入る。図中の第１遅延，すなわち「第１の２重ポーリング」Ｄ２と記された遅延期間１０は，固定長である。例えばＤ２  １０の長さを，１００ｍｓと２００ｍｓの間とすることができる。Ｄ２は例えば，１５０ｍｓの固定長であってもよい。遅延期間によって，デバイスの電力消費は送信器（及び受信器）のデューティサイクルが減少すると減少させることができる。
【０１１０】
第１遅延期間の後２重ポーリング手続は「第２の２重ポーリング」手続として反復され，Ｄ１と記された第１ランダム長遅延期間１２に続く。ポーリング連鎖内のフィールドＤ１は，ランダム長の時間スロットである。これによって２つのデバイスが同時に共有状態にあるときロックアウト状態を避けることができ，また少なくともほかのデバイスはデータを受信することができる。第１ランダム長遅延期間１２は最小値１０ｍｓから２００ｍｓまでのどんな長さであってもよく，５０ｍｓと１２５ｍｓとの間のいずれかの長さであることが好ましい。すなわち第１ランダム長遅延期間は，例えば最小長５０ｍｓかつ１５０ｍｓ未満である。
【０１１１】
第１ランダム長遅延期間の後２重ポーリング手続は，「第３の２重ポーリング」として反復される。この２重ポーリング手続は，（Ｄ２と記された）第２固定長遅延期間１４に続く。また図中の第１遅延期間１４も固定長である。第１固定長遅延期間の長さは，第２固定長遅延期間とは異なる。第１固定長遅延期間１４の長さは，例えば１００ｍｓと２００ｍｓとの間であってよい。またＤ２は，例えば１５０ｍｓの固定長であってもよい。同一の長さの固定長遅延期間を用いることによって，ポーリング方式を簡略化できる。
【０１１２】
第２ランダム長遅延期間の後，「第４の２重ポーリング」手続が実行される。次にこの第４の２重ポーリング手続は，フィールドＤ３と記された第２ランダム長遅延期間１６に続く。この第２ランダム長遅延期間１６は，最小値０ｍｓから１５０ｍｓまでのどんな長さであってもよく，０ｍｓと１００ｍｓとの間であることが好ましい。
【０１１３】
第２ランダム長遅延期間が終わった後，ポーリング方式は反復のために初め，すなわち第１「２重ポーリング手続」に戻る。
【０１１４】
ＲＦ検出割込みによる活性化と記された期間から分かるように，各デバイスはほとんどが遅延状態にあって，バッテリ電力を節約できる。遅延状態のデバイスは非活性の受信器を有するが，また例えば通常のＲＦＩＤタグのようにＲＦ電界が受信されるか又は提示されたとき，それに応答することができる状態にもある。
【０１１５】
図４はＮＦＣ多機能デバイスの修正されたポーリングスキームを示している。この修正は，シーケンス内の各遅延期間の前の短い時間スロット内に，データ提示を加えることに関する。共有状態又は交換状態にある多機能デバイスは，これらの期間に入る。
【０１１６】
修正ポーリングにおいて２つの「２重ポーリング手続」は，データ提示手続１８で置き換えられる。本例示においては，データは最小７ｍｓ提示される。データは，トランザクションがコネクション通知を得るか又はトランザクションが中断されるまで，ＲＦＩＤ又はＮＦＣサービスを用いたいと願うアプリケーションが決定した形式で提示され，その時点でシステムは，図３に示す基本ポーリングループに戻る。コネクションが確立されるか，又はＲＦＣ又はＮＦＣ割込みが検出されると，すべてのポーリング又は開始手続は活性化が完了するまで中断される。
【０１１７】
したがって共有又は交換が選択されたとき，修正（図４参照）した基本ポーリングループ（図３参照）を利用する方法は，必要なさまざまな形式のデータの検出及び提示に対応するために効率的である。このシーケンスには，多機能デバイスが大部分の時間低電力状態に留まるという追加の利点がある。
【０１１８】
図５は，本発明による近距離通信システムの例である。システムは，通信しているＲＦＩＤ又はＮＦＣデバイスと，トランスポンダ又はＲＦＩＤタグ１９と，ＮＦＣ多機能モジュールと，ＮＦＣ多機能デバイスと，からなる。
【０１１９】
システムは，ＲＦＩＤタグ又はアンテナ４０及びコイルすなわちアンテナインタフェースを備えるトランスポンダ１９と，コントローラと，メモリと，を備える。
【０１２０】
さまざまなデータ形式が用いられる環境におけるＮＦＣ多機能デバイスのためのＮＦＣ多機能モジュールは，コイルとコンデンサとの組合せとして描かれているアンテナ４４を備える。アンテナは送受信機６２に接続されている。ＮＦＣモジュールは，前述の送受信機６２に接続された処理ユニット６４を更に備える。またモジュールは，処理ユニット６４に双方とも接続された乱数発生器６８及びタイマ６６も備える。モジュールは，前述の処理ユニット６４に接続されたメモリユニット７０を更に備える。
【０１２１】
さまざまなデータ形式が用いられる環境のためのＮＦＣ多機能デバイスは，コイルとコンデンサとの組合せとして描かれているアンテナ７４を備える。アンテナは送受信機８２に接続されている。ＲＦＩＤモジュールは，前述の送受信機８２に接続された処理ユニット８４を更に備える。またモジュールは，処理ユニット８４に双方とも接続されたタイマ８６及び乱数発生器８８も備える。モジュールは，前述の処理ユニット８４に接続されたメモリユニット９０を更に備える。ＮＦＣ多機能デバイスは，追加メモリユニット９２及び携帯電話機（モジュール）９４を更に備える。各図においては，説明を不明りょうにしないように，電源部及びユーザインタフェースは省かれている。
【０１２２】
図示したシステムにおいてＮＦＣ多機能モジュールは，第１データ形式を用いてトランスポンダ１９と能動的に通信しているものと想定する。モジュールは，前述のメモリユニット７０及び７２が第１データ形式及び第２データ形式を記憶しているので，この通信を実行することができる。またメモリは，例えば固定長遅延期間の長さ及び少なくとも２つの異なるランダム長遅延期間の時間枠も記憶することができる。
【０１２３】
モジュールの処理ユニット６４は，前述の送受信機６２及びアンテナ４４を介する第１及び第２カードウォーミング手続と，前述の受信器モードの活性化と，前述のデータが前述のトランスポンダ１９から受信されたときの，第１データ形式に従う受信したデータ信号の評価と，前述のデータが前述の近距離通信データデバイスから受信されたときの，第２データ形式に従う受信したデータ信号の評価と，第１及び第２カードクーリング手続と，３つの異なる遅延，すなわち固定長遅延期間並びにそれぞれ第１及び第２時間枠を有する乱数値の２つのランダム長遅延期間を含む遅延手続と，を実行するように構成される。
【０１２４】
図３及び４の方法によれば，近距離通信モジュールは例えば第１データ形式を用いてトランスポンダ１９と通信することができ，また第２データ形式を用いて近距離通信デバイスと通信することができる。図３によればモジュールは「ＦｅｌｉＣａ（登録商標）」形式を用いてトランスポンダ１９と通信することができ，図３及び４によれば「Ｍｉｆａｒｅ（登録商標）」形式を用いてデバイスと通信することができる。
【０１２５】
本発明は，ユーザが現在運用している選択に関する情報を用いて，ソフトウェア処理機能によって最も簡単に実装することができる。
【０１２６】
本発明は，所望の，又は利用可能なすべてのＲＦＩＤ形式に対応できるという利点がある。更に本発明は，双方の多機能デバイスが共有モード又は交換モードでイニシエータとして動作しようとしたとき，ロックアウト状態が起こらないように衝突防止方式を提供する。本発明は活性化時間を最小にすることにより，移動体への実装を可能にする低電力消費を実現することができる。本発明は，合理的な時間内に可能なすべての対話を検出することができる。後段のデータ処理によって，十分なデータ分析が実行される。これらの利点はすべて，コードにほんの少しの追加バイト数の追加することによって，また本発明のポーリング方式によるわずかな遅延の増加だけで達成できる。
【０１２７】
上述した本発明の実施例は，複数のデータ形式，標準又はプロトコルを用いるタグと，カードと，リーダと，多機能デバイスとの間で各動作の調整のために対話が望まれる環境における多機能ＲＦＩＤデバイス又は多機能近距離通信デバイスの動作によって要約される。前述の各動作とは，第１データ形式，標準又はプロトコルのための読み出し手続又は開始手続を実行する動作と，第２データ形式，標準又はプロトコルのための読み出し手続又は開始手続を実行する動作と，必要な更なるデータ形式，標準又はプロトコルのための更なる読み出し手続又は開始手続を実行する動作と，第１データ形式，標準又はプロトコルのための受動検出手続又は受動ターゲット手続を実行する動作と，第２データ形式，標準又はプロトコルのための受動検出手続又は受動ターゲット手続を実行する動作と，必要な更なるデータ形式，標準又はプロトコルのための更なる受動検出手続又は受動ターゲット手続を実行する動作と，固定長又はランダム長遅延を実行する動作と，巡回処理又は反復処理においてこれらの動作を反復する動作と，からなる。
【０１２８】
１つの実施例においては，１つの受動検出手続又は受動ターゲット手続が，複数のデータ形式，標準又はプロトコルを検出するために用いられる。固定長又はランダム長の遅延は用いなくてもよく，ほかの読み出しと，開始と，検出と，ターゲットとの動作のうち１つによって実装される。本明細書全体において，「データ形式，標準及び／又はプロトコル」又は「ある標準のプロトコルによるデータ形式」という表現は，「データ形式」という表現で略されている。
【０１２９】
本願は，例を用いて本発明の実装及び実施例を説明したものである。当業者であれば，本発明が上述の実施例の詳細に限定されるものではなく，本発明の特徴から離れることなく別の形式において実装することも可能であることに気付くであろう。上述の実施例は例示であって制限ではないと考えることが望ましい。このように本発明の実装及び利用の可能性は，本願の請求項によってのみ制限される。したがって均等物を含み，本願請求項によって決められる本発明のさまざまな実装の選択肢もまた，本発明の範囲に属するものである。
【図１】
2010136423.tif 000003
【図２】
2010136423.tif 000004
【図３】
2010136423.tif 000005
【図４】
2010136423.tif 000006
【図５】
2010136423.tif 000007
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
第１標準のプロトコルによる第1データ形式で第1開始手続を実行するステップと，
前記第１開始手続を実行した直後に，第２標準のプロトコルによる第２データ形式で第２開始手続を実行するステップと，
前記第１データ形式若しくは前記第２データ形式，又は第３標準のプロトコルによる第３データ形式で第１受動検出手続を実行するステップと，
所定期間待機するステップと，
前記の順でこれらの動作を繰り返すステップと，
を有する方法。
【請求項２】
前記第１標準，前記第２標準，前記第３標準，又は第４標準のプロトコルによる少なくとも１つの第４の種類のデータ形式で第２受動検出手続を実行するステップを更に有する請求項１に記載の方法。
【請求項３】
更なる標準のプロトコルによる少なくとも１つの更なるデータ形式で，少なくとも１つの更なる開始手続を実行するステップを更に有する請求項１に記載の方法。
【請求項４】
更なる標準のプロトコルによる少なくとも１つの更なるデータ形式で，少なくとも１つの更なる受動検出手続を実行するステップを更に有する請求項２に記載の方法。
【請求項５】
前記の待機ステップは複数の遅延期間待機するステップを含み，少なくとも１つの待機ステップは，固定長待機ステップとして実行する請求項１に記載の方法。
【請求項６】
少なくとも１つの待機ステップは，ランダム長遅延期間待機するステップとして実行する請求項５に記載の方法。
【請求項７】
前記の待機ステップは複数の待機期間を含み，前記複数の待機期間の少なくとも１つは，ランダム長期間を含む請求項１に記載の方法。
【請求項８】
前記のランダム長の待機期間は，ゼロを含まない所定の時間範囲から選択され，ほかの各待機期間は，ゼロを含む所定の時間範囲から選択されるランダム長期間の遅延として実行される請求項７に記載の方法。
【請求項９】
第１標準のプロトコルによる第1データ形式で第1開始手続を実行するステップと，
第２標準のプロトコルによる第２データ形式で第２開始手続を実行するステップと，
固定長期間待機するステップと，
前記第1開始手続を反復するステップと，
前記第２開始手続を反復するステップと，
第1時間範囲から無作為に選択したランダム長期間待機するステップと，
前記第1開始手続を反復するステップと，
前記第２開始手続を反復するステップと，
固定長期間待機するステップと，
前記第1開始手続を反復するステップと，
前記第２開始手続を反復するステップと，
第２時間範囲から無作為に選択したランダム長期間待機するステップと，
前記の順でこれらの動作を繰り返すステップと，
のシーケンスを有する請求項８に記載の方法。
【請求項１０】
第１標準のプロトコルによる第1データ形式で第1開始手続を実行するステップと，
第２標準のプロトコルによる第２データ形式で第２開始手続を実行するステップと，
固定長期間待機するステップと，
第３標準のプロトコルによる第３データ形式で第1受動検出手続を実行するステップと，
第４標準のプロトコルによる第４データ形式で第２受動検出手続を実行するステップと，
第1時間範囲から無作為に選択したランダム長期間待機するステップと，
前記第1開始手続を反復するステップと，
前記第２開始手続を反復するステップと，
固定長期間待機するステップと，
前記第1受動検出手続を反復するステップと，
前記第２受動検出手続を反復するステップと，
第２時間範囲から無作為に選択したランダム長期間待機するステップと，
前記の順でこれらの動作を繰り返すステップと，
のシーケンスを有する請求項８に記載の方法。
【請求項１１】
前記の開始手続を実行するステップが，
第1出力電力で，第1所定時間，第１無線周波の信号シーケンスを送信するステップと，
起動した受信器でデータ信号を受信する受信ステップと，
データ信号が何も受信されなかったときは，第２出力電力で，第２所定時間，第2無線周波の信号シーケンスを送信するステップと，
を有する請求項１に記載の方法。
【請求項１２】
データ信号が受信されたとき，少なくとも１つのデータ形式に従って，受信したデータ信号を評価する評価ステップを更に有する請求項１１に記載の方法。
【請求項１３】
前記受信ステップと，前記評価ステップと，を別個に実行する請求項１２に記載の方法。
【請求項１４】
前記方法を，ＲＦＩＤリーダを備えた近距離通信デバイスによって実行する請求項１に記載の方法。
【請求項１５】
計算機又はネットワークデバイス上で動作させると請求項１に記載の方法を実行する，計算機可読記憶媒体上に格納された計算機プログラム。
【請求項１６】
さまざまな標準の，さまざまなプロトコルによる，さまざまなデータ形式を用いる近距離通信可能デバイスを含む環境における近距離通信デバイスのための電子近距離通信モジュールであって，
少なくとも１つのアンテナと，
少なくとも１つのアンテナに接続した受信器と，
少なくとも１つのアンテナに接続した送信器と，
前記受信器及び前記送信器に接続した処理ユニットと，
前記処理ユニットに接続したメモリユニットと，を備え，
前記メモリユニットは，第１標準のプロトコルによる第１データ形式，及び第２標準のプロトコルによる第２データ形式を格納し，
前記処理ユニットは，前記送信器と，前記受信器と，前記アンテナとを介して，
前記第１標準のプロトコルによる第1データ形式のための第1開始手続と，
前記第１開始手続の直後に，前記第２標準のプロトコルによる第２データ形式のための第２開始手続と，
前記第１データ形式若しくは前記第２データ形式，又は第３標準のプロトコルによる第３データ形式での第１受動検出手続の実行と，
所定期間の待機と，
前記の順でのこれらの動作の繰り返しと，
を実行するように構成する電子近距離通信モジュール。
【請求項１７】
前記処理ユニットに接続する乱数発生器及びタイマ双方を更に備え，
前記処理ユニットは，前記タイマによってさまざまな時間長を決定するように構成され，更に前記乱数発生器から得られる乱数によってランダム長遅延の時間長を決定するように構成する請求項１６に記載の電子近距離通信モジュール。
【請求項１８】
前記デバイスは，前記第１開始手続と，前記第２開始手続と，前記待機ステップと，を実行し，これらのステップを繰り返すための，組み込みメモリデバイスにハードコードされたプログラムシーケンスを含むことを特徴とする請求項１６に記載の電子近距離通信モジュール。
【請求項１９】
請求項１８に記載のモジュールによって特徴付けられ，受信データ及び評価データを記憶するために，前記処理ユニットに接続した記憶デバイスを更に備える電子近距離通信可能デバイス。
【請求項２０】
ユーザインタフェースを更に備える請求項１９に記載の電子近距離通信可能デバイス。
【請求項２１】
通信ネットワークインタフェースを更に備える請求項１９に記載の電子近距離通信可能デバイス。
【請求項２２】
前記通信ネットワークインタフェースは，セルラ電話ネットワークインタフェースとする請求項２１に記載の電子近距離通信可能デバイス。
【請求項２３】
前記電子近距離通信可能デバイスは，ＲＦＩＤリーダとする請求項１９に記載の電子近距離通信可能デバイス。
【請求項２４】
請求項１９に記載の電子近距離通信可能デバイスを少なくとも２つ備える電子近距離通信システム。